(57)【要約】【課題】  ホームページの閲覧者が、更新されたホームページのコンテンツ情報を見逃すことのないようにする。【解決手段】  コンテンツ情報出力装置１００は、ネットワーク１５０に接続され、所望のホームページの更新を検出して更新されたコンテンツ情報を出力する。コンテンツ情報出力装置１００は、ネットワーク１５０に接続されたウェブサーバ（１６０ａ、１６０ｂ）に保存された監視対象のホームページ（１６２ａ、１６２ｂ）のコンテンツ情報を取得するコンテンツ情報取得部１０２と、監視対象のホームページの更新を検出する更新検出部１０６と、更新検出部１０６がホームページの更新を検出した場合に、当該ホームページの更新されたコンテンツ情報を出力する出力部１１５と、を含む【選択図】        図１
2006215741.tif 000002
【特許請求の範囲】
【請求項１】
ネットワークに接続され、所望のホームページの更新を検出して更新されたコンテンツ情報を出力するコンテンツ情報出力装置であって、
前記ネットワークに接続されたウェブサーバに保存された監視対象のホームページのコンテンツ情報を取得するコンテンツ情報取得部と、
前記監視対象のホームページの更新を検出する更新検出部と、
前記更新検出部がホームページの更新を検出した場合に、当該ホームページの更新されたコンテンツ情報を出力する出力部と、
を含むことを特徴とするコンテンツ情報出力装置。
【請求項２】
請求項１に記載のコンテンツ情報出力装置において、
監視対象のホームページを特定する情報を記憶する監視対象記憶部をさらに含み、
前記更新検出部は、前記ホームページを特定する情報に基づき、前記ウェブサーバにアクセスして、前記監視対象のホームページの更新を検出することを特徴とするコンテンツ情報出力装置。
【請求項３】
請求項２に記載のコンテンツ情報出力装置において、
前記監視対象のホームページの最新のコンテンツ情報を逐次記憶するコンテンツ情報記憶部をさらに含み、
前記更新検出部は、前記コンテンツ情報取得部が取得した前記コンテンツ情報と、前記コンテンツ情報記憶部に記憶された過去の最新の前記コンテンツ情報との差分を検出する差分検出部を含み、前記差分に基づき、当該ホームページの更新を検出することを特徴とするコンテンツ情報出力装置。
【請求項４】
請求項１乃至３いずれかに記載のコンテンツ情報出力装置において、
前記コンテンツ情報取得部が取得したコンテンツ情報に基づき、当該コンテンツ情報を出力するか否かを判断する更新内容判断部をさらに含み、
前記出力部は、前記更新内容判断部が前記コンテンツ情報を出力すると判断した場合に、当該コンテンツ情報を出力することを特徴とするコンテンツ情報出力装置。
【請求項５】
請求項１乃至４いずれかに記載のコンテンツ情報出力装置において、
前記コンテンツ情報取得部が取得したコンテンツ情報に基づき、当該コンテンツ情報の中から、出力すべき出力情報を抽出する情報抽出部をさらに含み、
前記出力部は、前記情報抽出部が抽出した前記出力情報を出力することを特徴とするコンテンツ情報出力装置。
【請求項６】
請求項１乃至５いずれかに記載のコンテンツ情報出力装置において、
前記出力部は、前記コンテンツ情報を印刷、または所定のアドレスにメール送信することを特徴とするコンテンツ情報出力装置。
【請求項７】
請求項１乃至６いずれかに記載のコンテンツ情報出力装置において、
異なる方法で出力する複数の前記出力部と、
前記複数の出力部のいずれで前記コンテンツ情報を出力するかを選択する出力方法選択部と、
をさらに含むことを特徴とするコンテンツ情報出力装置。
【請求項８】
請求項１乃至７いずれかに記載のコンテンツ情報出力装置において、
前記コンテンツ情報取得部が取得した前記コンテンツ情報とともに出力する追加情報を付加する情報付加部をさらに含み、
前記出力部は、前記コンテンツ情報とともに、前記追加情報を出力することを特徴とするコンテンツ情報出力装置。
【請求項９】
請求項１乃至８いずれかに記載のコンテンツ情報出力装置において、
印刷機能を有する、ファクシミリ装置であることを特徴とするコンテンツ情報出力装置。
【発明の詳細な説明】
【技術分野】
【０００１】
この発明は、更新されたホームページのコンテンツ情報を出力するコンテンツ情報出力装置に関する。
【背景技術】
【０００２】
近年、インターネットの普及に伴い、ホームページで情報を発信することが広く行われている。ホームページの作成者は、ホームページのコンテンツを更新し、それをＦＴＰソフトで所定のウェブサーバにアップロードすることにより、自分のホームページを更新することができる。これにより、一般の利用者が更新されたホームページを閲覧可能となる。
【０００３】
このように、ホームページは、作成者が任意のタイミングで更新できるため、閲覧者がホームページの最新情報を得たい場合、閲覧者は何度もそのホームページを確認しなければならなかったり、更新されていても気が付かず、更新内容を見落としてしまうという課題があった。
【０００４】
特許文献１には、更新調査の対象となるホームページに関する情報を保持する通知情報ファイルと、当該情報に基づき、更新調査の対象となるホームページが更新されているか否かを定期的に調査する調査・通知サーバと、を含む更新通知装置が開示されている。この更新通知装置は、ホームページが更新されていた場合に、その旨を所定のメールアドレスや携帯電話番号に通知する。これにより、クライアント機の起動状況、ホームページが登録されているサーバの機能等に依存することなく、利用者にホームページの更新を通知することができる、とされている。
【特許文献１】特開２００１−３４４１４６号公報
【発明の開示】
【発明が解決しようとする課題】
【０００５】
しかし、特許文献１に記載の方法では、ホームページが更新されている旨の通知を受けた利用者が更新された内容を見るためには、そのホームページにアクセスして確認しなければならない。近年、インターネット上では多数のホームページが公開されており、各閲覧者も多数のホームページを閲覧対象としていることが多い。多数のホームページについて、たとえば同時にそれらが更新された旨の通知を受けても、全部のホームページの確認を行うのは閲覧者にとって面倒である。また、ホームページは、一般的に、更新時に上書き保存されてしまうため、更新された旨の通知を受けてから、次の更新が行われる前にホームページを閲覧しないと、情報が消去されてしまい、その情報を見逃してしまうというおそれもある。
【０００６】
本発明はこうした点に鑑みてなされたもので、その目的は、ホームページの閲覧者が、更新されたホームページのコンテンツ情報を見逃すことのないようにする技術の提供にある。
【課題を解決するための手段】
【０００７】
本発明によれば、ネットワークに接続され、所望のホームページの更新を検出して更新されたコンテンツ情報を出力するコンテンツ情報出力装置であって、前記ネットワークに接続されたウェブサーバに保存された監視対象のホームページのコンテンツ情報を取得するコンテンツ情報取得部と、前記監視対象のホームページの更新を検出する更新検出部と、前記更新検出部がホームページの更新を検出した場合に、当該ホームページの更新されたコンテンツ情報を出力する出力部と、を含むことを特徴とするコンテンツ情報出力装置が提供される。
【０００８】
本発明のコンテンツ情報出力装置によれば、監視対象のホームページが更新された場合、そのコンテンツ情報自体が出力されるので、ユーザがわざわざホームページを確認しなくても、更新内容を把握することができる。また、更新されたコンテンツ情報が出力されるので、更新内容をホームページで確認する前に新たな更新が行われた場合でも、コンテンツ情報を見逃すことがないようにできる。
【０００９】
本発明のコンテンツ情報出力装置において、前記出力部は、前記コンテンツ情報を印刷、または所定のアドレスにメール送信することができる。
【００１０】
本発明のコンテンツ情報出力装置は、異なる方法で出力する複数の前記出力部と、前記複数の出力部のいずれで前記コンテンツ情報を出力するかを選択する出力方法選択部と、をさらに含むことができる。
【００１１】
これにより、コンテンツ情報を取得した時間や内容に応じて、所望の出力手段で、コンテンツ情報を出力することができ、ユーザの利便性が向上する。
【００１２】
本発明のコンテンツ情報出力装置は、監視対象のホームページを特定する情報を記憶する監視対象記憶部をさらに含むことができ、前記更新検出部は、前記ホームページを特定する情報に基づき、前記ウェブサーバにアクセスして、前記監視対象のホームページの更新を検出することができる。
【００１３】
監視対象記憶部には、各監視対象のホームページを特定する情報に対応づけて、そのホームページのコンテンツ情報を取得する
【００１４】
本発明のコンテンツ情報出力装置は、前記監視対象のホームページの最新のコンテンツ情報を逐次記憶するコンテンツ情報記憶部をさらに含むことができ、前記更新検出部は、前記コンテンツ情報取得部が取得した前記コンテンツ情報と、前記コンテンツ情報記憶部に記憶された過去の最新の前記コンテンツ情報との差分を検出する差分検出部を含むことができ、前記差分に基づき、当該ホームページの更新を検出することができる。
【００１５】
また、他の例として、たとえば、更新検出部は、ホームページが更新された場合に、ネットワークに接続された他の端末から、ホームページの更新通知を受けることにより、ホームページの更新を検出することもできる。この場合、コンテンツ情報取得部は、更新検出部が更新を検出してから、該当するホームページにアクセスして、コンテンツ情報を取得することができる。
【００１６】
本発明のコンテンツ情報出力装置は、前記コンテンツ情報取得部が取得したコンテンツ情報に基づき、当該コンテンツ情報を出力するか否かを判断する更新内容判断部をさらに含むことができ、前記出力部は、前記更新内容判断部が前記コンテンツ情報を出力すると判断した場合に、当該コンテンツ情報を出力することができる。
【００１７】
これにより、ホームページが更新された場合でも、必要な場合のみコンテンツ情報が出力されるようにできるので、紙の無駄遣いや不要なデータの受信のための通信料の増大、また多数の情報があるために手間が増える等の不都合を防ぐことができる。
【００１８】
本発明のコンテンツ情報出力装置は、前記コンテンツ情報取得部が取得したコンテンツ情報に基づき、当該コンテンツ情報の中から、出力すべき出力情報を抽出する情報抽出部をさらに含むことができ、前記出力部は、前記情報抽出部が抽出した前記出力情報を出力することができる。
【００１９】
これにより、ホームページが更新された場合でも、必要な情報のみ出力されるようにできるので、紙の無駄遣いや不要なデータの受信のための通信料の増大、また多数の情報があるために手間が増える等の不都合を防ぐことができる。
【００２０】
本発明のコンテンツ情報出力装置は、前記コンテンツ情報取得部が取得した前記コンテンツ情報とともに出力する追加情報を付加する情報付加部をさらに含むことができ、前記出力部は、前記コンテンツ情報とともに、前記追加情報を出力することができる。
【００２１】
これにより、出力されたコンテンツ情報の把握や整理の手間を省くことができる。
【００２２】
本発明のコンテンツ情報出力装置は、印刷機能を有する、ファクシミリ装置とすることができる。これにより、コンテンツ情報出力装置が取得したコンテンツ情報を自装置内で印刷出力でき、管理が容易になる。
【００２３】
なお、以上の構成要素の任意の組合せ、本発明の表現を方法、装置、システム、記録媒体、コンピュータプログラムなどの間で変換したものもまた、本発明の態様として有効である。
【発明の効果】
【００２４】
本発明によれば、ホームページの閲覧者が、更新されたホームページのコンテンツ情報を見逃すことのないようにすることができる。
【発明を実施するための最良の形態】
【００２５】
図１は、本実施の形態における、コンテンツ情報出力装置の構成を示すブロック図である。
コンテンツ情報出力装置１００は、コンテンツ情報取得部１０２、差分検出部１０４、更新検出部１０６、更新内容判断部１０８、情報抽出部１１０、情報付加部１１２、出力データ生成部１１３、出力方法選択部１１４、出力部１１５、監視対象記憶部１２０、およびコンテンツ情報記憶部１２２を含む。出力部１１５は、メール送受信処理部１１６および印刷処理部１１８を含む。
【００２６】
図１は、ハードウェア単位の構成ではなく、機能単位のブロックを示している。なお、図１において、本発明の本質に関わらない部分の構成については省略してある。
【００２７】
コンテンツ情報出力装置１００は、ネットワーク１５０に接続され、ネットワーク１５０に接続されたウェブサーバ（１６０ａや１６０ｂ）に保存された所望のホームページ（１６２ａや１６２ｂ）が更新されたときに、当該ホームページのコンテンツ情報を取得するとともに出力する。ここで、ネットワーク１５０は、たとえばインターネットである。
【００２８】
監視対象記憶部１２０は、監視対象のホームページを特定する情報を記憶する。監視対象記憶部１２０は、たとえば監視対象のホームページのＵＲＬを記憶する。また、監視対象記憶部１２０は、各ホームページにアクセスして、そのホームページが更新されているか否かを検出する巡回間隔を記憶する。コンテンツ情報取得部１０２は、監視対象記憶部１２０に記憶された、ホームページを特定する情報に基づき、ウェブサーバにアクセスして、監視対象のホームページのコンテンツ情報を取得する。
【００２９】
コンテンツ情報記憶部１２２は、コンテンツ情報取得部１０２が取得した監視対象のホームページの最新のコンテンツ情報を逐次記憶する。差分検出部１０４は、コンテンツ情報取得部１０２が取得したコンテンツ情報と、コンテンツ情報記憶部１２２に記憶された過去の最新のコンテンツ情報との差分を検出する。更新検出部１０６は、差分検出部１０４が検出した差分に基づき、当該ホームページが更新されたか否かを検出する。ここで、更新検出部１０６は、種々の公知の方法でホームページの更新の有無を検出することができる。更新検出部１０６は、ホームページのｈｔｍｌ文書のメタタグ等、ウェブブラウザ上の表示に反映されない情報が変化している場合、当該変化に基づきホームページが更新されたと判断しないようにすることができる。また、更新検出部１０６は、ホームページにリンクされた画像等が変化した場合にも、当該変化に基づきホームページが更新されたと判断しないようにすることができる。
【００３０】
更新検出部１０６は、コンテンツ情報取得部１０２が取得したホームページのコンテンツ情報をコンテンツ情報記憶部１２２に記憶する。ここで、更新検出部１０６は、コンテンツ情報取得部１０２が取得したホームページのコンテンツ情報を、そのホームページの過去の最新のコンテンツ情報に上書き保存してもよく、また、所定容量になるまでは、過去に取得したコンテンツ情報も残したまま、新たなコンテンツ情報を保存するようにしてもよい。これにより、コンテンツ情報記憶部１２２には、コンテンツ情報取得部１０２が取得した最新のコンテンツ情報が保存された状態となる。
【００３１】
更新内容判断部１０８は、更新検出部１０６がホームページの更新を検出すると、そのコンテンツ情報に基づき、当該コンテンツ情報を出力するか否かを判断する。更新内容判断部１０８は、コンテンツ情報を出力するか否かを判断する条件を記憶する判断条件記憶部（不図示）を含むことができる。判断条件記憶部には、たとえば、各ホームページを特定する情報に対応づけて、キーワードを設定しておくことができる。更新内容判断部１０８は、たとえば、対象のホームページのコンテンツ情報のうち、更新された箇所に、設定されたキーワードが含まれる場合に、当該コンテンツ情報を出力すると判断することができる。また、たとえば、更新内容判断部１０８は、ホームページのコンテンツ情報の変更部分が、もともとあった情報の修正なのか追加なのかを判断し、修正の場合には当該ホームページのコンテンツ情報を出力しないと判断し、追加の場合には当該ホームページのコンテンツ情報を出力すると判断することができる。
【００３２】
また、情報抽出部１１０は、更新検出部１０６がホームページが更新されたことを検出すると、そのコンテンツ情報に基づき、当該コンテンツ情報の中から、出力すべき出力情報を抽出する。たとえば、情報抽出部１１０は、コンテンツ情報に画像とテキストが含まれる場合に、テキストだけを抽出することができる。また、情報抽出部１１０は、ホームページのコンテンツ情報のうち、更新された箇所や更新されたファイルのみを抽出することもできる。
【００３３】
情報付加部１１２は、情報抽出部１１０が抽出した出力情報とともに、出力部１１５に出力させる追加情報を付加する。情報付加部１１２は、たとえば、コンテンツ情報取得部１０２がコンテンツ情報を取得した日時や、そのホームページの過去の更新履歴等を追加情報として付加する。また、情報付加部１１２は、たとえば、情報抽出部１１０が一部の情報のみを抽出した場合、抽出されなかった情報を示すコメントを追加情報として付加することもできる。たとえば、情報付加部１１２は、コンテンツ情報に画像とテキストが含まれる場合に、情報抽出部１１０がテキストだけを抽出したときには、「画像省略」等の追加情報を付加することができる。また、たとえば、情報付加部１１２は、コンテンツ情報取得部１０２が、過去に取得したホームページのコンテンツ情報の取得時間と更新の有無等を対応づけて追加情報として付加することもできる。また、情報付加部１１２は、出力するコンテンツ情報のうち、変更があった箇所を示す情報を付加することもできる。
【００３４】
出力データ生成部１１３は、情報抽出部１１０が抽出した出力情報、および情報付加部１１２が付加した追加情報をあわせて、出力する出力データを生成する。
【００３５】
印刷処理部１１８は、出力データ生成部１１３が生成した出力データを印刷出力する。メール送受信処理部１１６は、出力データ生成部１１３が生成した出力データを、所定のアドレスにメール送信する。
【００３６】
出力方法選択部１１４は、出力データ生成部１１３が生成した出力データの出力方法を選択する。すなわち、本実施の形態において、コンテンツ情報出力装置１００は、メール送受信処理部１１６と印刷処理部１１８という二つの出力手段を有する。出力方法選択部１１４は、コンテンツ情報に応じて、いずれかの出力手段を選択する。出力方法選択部１１４は、コンテンツ情報の出力方法を選択する条件を記憶する選択条件記憶部（不図示）を含むことができる。たとえば、出力データの容量が所定以上の場合、メール送受信処理部１１６により出力するよう設定しておくことができる。また、たとえば、出力データを出力する時間に応じて、出力方法を選択することもできる。さらに、たとえば、出力方法選択部１１４が出力方法として印刷を選択し、印刷処理部１１８への出力データの印刷指示を行った場合に、紙切れ等で印刷ができなかった場合には、メール送受信処理部１１６で出力するようにすることもできる。また、たとえば、出力方法選択部１１４が印刷処理部１１８への出力データの印刷指示を行った場合に、紙切れ等で印刷ができなかった場合に、コンテンツ情報出力装置１００内、またはネットワーク１５０で接続された他の端末のデータ保存領域に出力データを一時的に保存しておくこともできる。この場合、印刷処理部１１８は、紙切れの状態が解消された際に、データ保存領域から出力データを読み出し、印刷することができる。
【００３７】
次に、コンテンツ情報出力装置１００が、ユーザから各種情報の設定を受け付ける処理手順方法を説明する。
まず、コンテンツ情報出力装置１００のウェブブラウザ機能が有効であるか否かを判断し、ウェブブラウザ機能が有効でない場合は、ユーザにウェブブラウザ機能を有効にする処理を促す。コンテンツ情報出力装置１００のウェブブラウザ機能が有効な場合、ユーザから、更新の有無を監視する対象のホームページを特定する情報の設定を受け付ける。これらは、監視対象記憶部１２０に記憶される。
【００３８】
つづいて、ユーザから、そのホームページの更新の有無を監視するために、そのホームページを巡回する間隔の設定を受け付ける。その後、ホームページが更新されていた場合に、コンテンツ情報を出力するか否かを判断するための判断条件、出力データの出力方法を選択するための選択条件をユーザから受け付ける。また、ユーザから、出力データをメール送信する場合のメールアドレス等の出力先の設定を受け付ける。これらは、それぞれ、図示しない所定の記憶部に記憶される。
【００３９】
図２は、コンテンツ情報出力装置１００が、更新されたホームページのコンテンツ情報を出力する処理手順を示すフローチャートである。
コンテンツ情報取得部１０２は、監視対象記憶部１２０およびコンテンツ情報記憶部１２２を参照して、監視対象記憶部１２０に記憶されたホームページの巡回間隔を経過したか否かを判断する（Ｓ１００）。巡回間隔を経過している場合（Ｓ１００のＹＥＳ）、コンテンツ情報取得部１０２は、監視対象のホームページにアクセスし、そのホームページのコンテンツ情報を取得する（Ｓ１０２）。差分検出部１０４は、コンテンツ情報取得部１０２が取得したコンテンツ情報と、コンテンツ情報記憶部１２２に記憶されたそのホームページの過去の最新のコンテンツ情報とを比較し、差分を検出する。更新検出部１０６は、差分検出部１０４が検出した差分に基づき、そのホームページが更新されたか否かを判断する（Ｓ１０４）。
【００４０】
ホームページが更新されている場合（Ｓ１０４のＹＥＳ）、更新内容判断部１０８は、コンテンツ情報に基づき、そのコンテンツ情報を出力するか否かを判断する（Ｓ１０６）。そのコンテンツ情報を出力する場合（Ｓ１０６のＹＥＳ）、情報抽出部１１０は、コンテンツ情報の中から、出力する出力情報を抽出する（Ｓ１０８）。また、情報付加部１１２は、出力情報とともに出力する追加情報を付加する（Ｓ１１０）。出力データ生成部１１３は、ステップＳ１０８で抽出された出力情報、およびステップＳ１１０で付加された追加情報をあわせて、出力データを生成する。
【００４１】
つづいて、出力方法選択部１１４は、出力データの出力方法を選択する（Ｓ１１２）。出力部１１５は、出力方法選択部１１４が選択した出力方法で、出力データを出力する（Ｓ１１４）。出力方法選択部１１４は、ステップＳ１１４の出力処理が完了したか否かを判断し（Ｓ１１６）、出力処理が完了していない場合（Ｓ１１６のＮＯ）、ステップＳ１１２に戻り、再度出力方法を選択する（Ｓ１１２）。ステップＳ１１６の出力処理が終了すると、他のホームページについても、同様の処理を行うか否かを判断し（Ｓ１１８）、他のホームページについても同様の処理を行う場合（Ｓ１１８のＹＥＳ）、ステップＳ１０４に戻り、そのホームページについて、同様の処理を行う。一方、ステップＳ１１８において、他のホームページについて、同様の処理を行わない場合（Ｓ１１８のＮＯ）、Ｓ１００に戻り、次の巡回間隔が経過するまで待機する（Ｓ１００のＮＯ）。
【００４２】
ステップＳ１０４において、更新検出部１０６が、ホームページが更新されていないと判断した場合（Ｓ１０４のＮＯ）、またはステップＳ１０６において、更新内容判断部１０８が、コンテンツ情報を出力しないと判断した場合（Ｓ１０６のＮＯ）、それらの結果がコンテンツ情報記憶部１２２に記録される（Ｓ１２０）。この後、ステップＳ１１８に進み、以上と同様の処理を行う。
【００４３】
以上のように、本実施の形態におけるコンテンツ情報出力装置１００によれば、監視対象のホームページが更新された場合、そのコンテンツ情報自体が出力されるので、ユーザがわざわざホームページを確認しなくても、更新内容を把握することができる。また、更新されたコンテンツ情報が出力されるので、更新内容をホームページで確認する前に新たな更新が行われた場合でも、コンテンツ情報を見逃すことがないようにできる。
【００４４】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４５】
コンテンツ情報出力装置１００は、プリンタを有する、ファクシミリ装置とすることができる。また、コンテンツ情報出力装置１００は、ファクシミリ、プリンタ、コピー、スキャナ機能等を統合した複合機とすることができる。この場合、コンテンツ情報出力装置１００は、たとえばネットワークファクシミリ装置やＭＦＰ（Multi Functional Peripheral）等として機能する。このようにすれば、コンテンツ情報出力装置１００が取得したコンテンツ情報を自装置内で印刷出力でき、管理が容易になる。
【００４６】
以上の実施の形態においては、更新検出部１０６は、コンテンツ情報取得部１０２が取得したあるホームページのコンテンツ情報を、そのホームページの過去のコンテンツ情報と比較することにより、そのホームページの更新の有無を検出する例を示した。しかし、コンテンツ情報出力装置１００がホームページの更新の有無を検出する方法は、これに限られず、種々の方法とすることができる。たとえば、更新検出部１０６は、監視対象のホームページが更新された場合に、ネットワークに接続された他の端末から、ホームページの更新通知を受けることにより、ホームページの更新を検出することもできる。この場合、コンテンツ情報取得部１０２は、更新検出部１０６が更新を検出してから、該当するホームページにアクセスして、コンテンツ情報を取得することができる。
【図面の簡単な説明】
【００４７】
【図１】実施の形態におけるコンテンツ情報出力装置の構成を示すブロック図である。
【図２】実施の形態におけるコンテンツ情報出力装置の処理手順を示すフローチャートである。
【符号の説明】
【００４８】
１００  コンテンツ情報出力装置
１０２  コンテンツ情報記憶部
１０４  差分検出部
１０６  更新検出部
１０８  更新内容判断部
１１０  情報抽出部
１１２  情報付加部
１１４  出力方法選択部
１１６  メール送受信処理部
１１８  印刷処理部
１２０  監視対象記憶部
１２２  コンテンツ情報記憶部
１５０  ネットワーク
１６０ａ  ウェブサーバ
１６０ｂ  ウェブサーバ
１６２ａ  ホームページ
１６２ｂ  ホームページ
【図１】
2006215741.tif 000003
【図２】
2006215741.tif 000004